(57)【要約】【課題】扉の左右方向の端縁に沿うように照明装置が取り付けられたものにおいて、見栄えが損なわれるのを防ぐことができる照明付きキャビネットを提供する。【解決手段】本発明は、扉５４が設けられたキャビネット４と、扉５４に沿うように設けられた照明装置６とを備えた照明付きキャビネット３である。照明装置６は、後端部がキャビネット本体４５の前端面に固定され、当該照明装置６の前端が扉５４の前面から非突出となっている。【選択図】図４
2014223283.tif 000002
【特許請求の範囲】
【請求項１】
キャビネット本体の前方に扉が設けられたキャビネットと、
前記扉の左右方向の端縁に沿うように設けられて前方に光を発する照明装置と
を備えた照明付きキャビネットであって、
前記照明装置は、前記キャビネット本体の前端面に固定されており、当該照明装置の前端が前記扉の前面から非突出となっている
ことを特徴とする照明付きキャビネット。
【請求項２】
照明装置の前端は、前記扉の前面よりも後方に位置している
ことを特徴とする請求項１記載の照明付きキャビネット。
【請求項３】
前記照明装置は、
前記キャビネット本体の上端部または下端部に設けられた光源部と、
前記扉の左右方向の端縁に沿うように設けられ、前記光源部からの光が長手方向の端面から入射し且つ入射した光が前面から出射する導光部と
を備えている
ことを特徴とする請求項１または請求項２に記載の照明付きキャビネット。
【請求項４】
前記扉は複数の鏡面扉を備えており、
前記照明装置は、この鏡面扉の間に配置されている
ことを特徴とする請求項１乃至請求項３のいずれか一項に記載の照明付きキャビネット。
【請求項５】
前記キャビネット本体は、上壁部と、下壁部と、縦壁部とを備え、
前記上壁部の前端面と前記下壁部の前端面と前記縦壁部の前端面とは同一平面上に位置しており、
前記照明装置の後端部は、前記縦壁部の前端面に固定されている
ことを特徴とする請求項１乃至請求項４のいずれか一項に記載の照明付きキャビネット。
【発明の詳細な説明】
【技術分野】
【０００１】
本発明は、照明付きキャビネットに関する。
【背景技術】
【０００２】
特許文献１には、従来の照明付きキャビネットが開示されている。この特許文献１記載のキャビネットは、ミラーキャビネットである。このミラーキャビネットは、キャビネット本体と、このキャビネット本体の前方に設けられた扉体とを備えている。ミラーキャビネットは、扉体として、中央扉体と、左扉体と、右扉体とを備えている。この扉体の前面には鏡板が設けられている。
【０００３】
このミラーキャビネットには、中央扉体の左右方向の両端縁に沿ってＬＥＤユニットが配設されている。ＬＥＤユニットには、その長手方向に沿って多数のＬＥＤが並設されている。
【０００４】
このＬＥＤユニットは、中央扉体に取り付けられている。ＬＥＤユニットの後端部は、中央扉体の前面に固定されている。また、ＬＥＤユニットの前端は、中央扉体の鏡板の前面から突出している。
【先行技術文献】
【特許文献】
【０００５】
【特許文献１】特開２００７−９８０３４号公報
【発明の概要】
【発明が解決しようとする課題】
【０００６】
ところで、一般に、特許文献１のようなＬＥＤユニットの前後方向の厚さを、鏡体の厚さよりも薄く形成するのは困難であるが、特許文献１のミラーキャビネットは、ＬＥＤユニットの後端部が中央扉体の前面に固定されている。このため、特許文献１記載のミラーキャビネットでは、ＬＥＤユニットの前端が鏡板の前面から突出してしまい、見栄えを損なうという問題がある。
【０００７】
本発明は、上記事情に鑑みてなされたものであり、その目的とするところは、扉の左右方向の端縁に沿うように照明装置が取り付けられたものにおいて、見栄えが損なわれるのを防ぐことができる照明付きキャビネットを提供することにある。
【課題を解決するための手段】
【０００８】
本発明の照明付きキャビネットは、キャビネット本体の前方に扉が設けられたキャビネットと、前記扉の左右方向の端縁に沿うように設けられて前方に光を発する照明装置とを備えた照明付きキャビネットであって、前記照明装置は、前記キャビネット本体の前端面に固定されており、当該照明装置の前端が前記扉の前面から非突出となっていることを特徴とする。
【０００９】
また、この照明付きキャビネットにおいて、照明装置の前端は、前記扉の前面よりも後方に位置していることが好ましい。
【００１０】
また、この照明付きキャビネットにおいて、前記照明装置は、前記キャビネット本体の上端部または下端部に設けられた光源部と、前記扉の左右方向の端縁に沿うように設けられ、前記光源部からの光が長手方向の端面から入射し且つ入射した光が前面から出射する導光部とを備えていることが好ましい。
【００１１】
また、この照明付きキャビネットにおいて、前記扉は複数の鏡面扉を備えており、前記照明装置は、この鏡面扉の間に配置されていることが好ましい。
【００１２】
またこの照明付きキャビネットにおいて、前記キャビネット本体は、上壁部と、下壁部と、縦壁部とを備え、前記上壁部の前端面と前記下壁部の前端面と前記縦壁部の前端面とは同一平面上に位置しており、前記照明装置の後端部は、前記縦壁部の前端面に固定されていることが好ましい。
【発明の効果】
【００１３】
本発明の照明付きキャビネットによれば、扉の左右方向の端縁に沿うように照明装置が取り付けられたものにおいて、見栄えが損なわれるのを防ぐことができる。
【図面の簡単な説明】
【００１４】
【図１】実施形態１の洗面化粧台の斜視図である。
【図２】実施形態１の照明付きキャビネットの斜視図である。
【図３】実施形態１のキャビネット本体の分解斜視図である。
【図４】実施形態１の照明付きキャビネットの要部断面図である。
【図５】実施形態１の照明装置の分解斜視図である。
【図６】実施形態１の導光部の分解図である。
【図７】実施形態２の照明付きキャビネットの要部断面図である。
【発明を実施するための形態】
【００１５】
以下、本発明の実施形態について添付図面に基づいて説明する。
【００１６】
（実施形態１）
実施形態１の照明付きキャビネット３は、図１に示すように、洗面化粧台１に用いられる。洗面化粧台１は、洗面台２と、照明付きキャビネット３とを備えている。
【００１７】
なお、本実施形態における方向の定義は、使用状態における奥手前方向が前後方向として定義される。特に、洗面化粧台１において後述のバックガード２３が設けられている側を後側として定義し、ユーザーが使用時に立つ側を前側として定義する。また、左右方向は、ユーザーが洗面化粧台１に向かった姿勢での方向で定義する。
【００１８】
洗面台２は、後面が部屋の壁面に沿った状態で設置される。洗面台２は、下部キャビネット２１と、カウンター２２と、バックガード２３とを備えている。カウンター２２にはボウル２５が設けられている。ボウル２５は、上方に開口しており、これにより、水栓の吐出口２４から吐出された湯水を受けることができる。カウンター２２は、下部キャビネット２１の上端に載設されている。バックガード２３は、カウンター２２の後端部（ボウルの後方）から上方に向かって突設されている。
【００１９】
本実施形態の照明付きキャビネット３は、ミラーキャビネットである。照明付きキャビネット３は、バックガード２３の上端に載設されている。つまり、照明付きキャビネット３は、洗面台２の上方に配置される。照明付きキャビネット３は、例えば、その後面が部屋の壁面に沿った状態で設置される。照明付きキャビネット３は、図２に示すように、複数のキャビネット４と、照明装置６とを備えている。複数のキャビネット４は、図３に示すように、縦壁部４８（側板）同士が隣接するように（つまり、縦壁部４８同士が当接した状態で）並設されている。
【００２０】
本実施形態の照明付きキャビネット３は、複数のキャビネット４として、センターキャビネット４１と、サイドキャビネット４２とを備えている。照明付きキャビネット３は、サイドキャビネット４２として、右サイドキャビネット４３と、左サイドキャビネット４４とを有する。左サイドキャビネット４４は、正面視左側のキャビネット４である。センターキャビネット４１は、正面視中央のキャビネット４である。右サイドキャビネット４３は、正面視右側のキャビネット４である。
【００２１】
各キャビネット４（つまり、右サイドキャビネット４３、センターキャビネット４１、左サイドキャビネット４４）は、図２に示すように、キャビネット本体４５と、扉５４とを備えている。
【００２２】
扉５４は、キャビネット本体４５の前方に開閉自在に取り付けられる。扉５４は、複数の鏡面扉５６を有している。鏡面扉５６は、各キャビネット４１，４３，４４に１つずつ取り付けられている。右サイドキャビネット４３の鏡面扉５６は、左端部が枢支されている。センターキャビネット４１の鏡面扉５６は、左端部が枢支されている。また、左サイドキャビネット４４の鏡面扉５６は、右端部が枢支されている。これにより、本実施形態の照明付きキャビネット３は三面鏡を構成する。
【００２３】
鏡面扉５６は、図４に示すように、扉本体５７と、鏡板５５とを備えている。鏡板５５は、扉本体５７の前面に取り付けられている。鏡板５５は、扉本体５７の全面に亙って設けられている。
【００２４】
また、左右方向に隣接する鏡面扉５６同士は、一定の隙間を介して配置されている。左右方向に隣接する鏡面扉５６同士の間の隙間の左右方向の幅は、図４に示すように、キャビネット４の縦壁部４８の厚さと略同じ寸法となっている。
【００２５】
キャビネット本体４５は、図３に示すように、上壁部４６、下壁部４７、縦壁部４８、奥壁部４９を備え、前方に向かって開口している。キャビネット本体４５は、内部に収納空間５０を有している。この収納空間５０は、上壁部４６、下壁部４７、縦壁部４８に囲まれた空間である。キャビネット本体４５は、木質板により構成されている。収納空間５０は、例えば、仕切り板５１によって仕切られて使用される。ユーザーは、仕切り板５１を対向する縦壁部４８間の所望の高さ位置で架設し、これにより、収納空間５０を仕切ることができる。
【００２６】
なお、キャビネット本体４５は木質板に限らず、例えば、合成樹脂により形成されたものであってもよい。
【００２７】
上壁部４６は、前後方向に幅を有し、左右方向に長さを有している。上壁部４６は、キャビネット本体４５の上端面を構成する。なお、センターキャビネット４１の上壁部４６の上面は、サイドキャビネット４２の上壁部４６の上面よりも下方に位置している。
【００２８】
下壁部４７は、前後方向に幅を有し、左右方向に長さを有している。下壁部４７は、キャビネット本体４５の下端面を構成する。センターキャビネット４１の下壁部４７の下面と、サイドキャビネット４２の下壁部４７の下面とは同一平面上に位置している。
【００２９】
縦壁部４８は、前後方向に幅を有し、上下方向に長さを有している。縦壁部４８は、一対設けられており、左右方向に離れた状態で対向配置されている。
【００３０】
この上壁部４６の前端面と、下壁部４７の前端面と、縦壁部４８の前端面とは、同一平面上に位置している。なお、ここで言う「同一平面上」とは、厳密な同一平面上という意味だけでなく、同一平面上とみなせる範囲をも含むものとし、多少の誤差は「同一平面上」の範囲に含まれるものとする。
【００３１】
また、縦壁部４８の後端部には、上下方向に連続した溝部５２が設けられている。溝部５２は、縦壁部４８の後端面からやや前方に位置する箇所に設けられている。溝部５２は、左右方向に対向する両縦壁部４８に設けられており、互いに平行に形成されている。溝部５２は、互いに向き合うように設けられている。溝部５２は、内側および上方に向かって開口している。この溝部５２には、奥壁部４９が上方から差し込まれる。
【００３２】
奥壁部４９は、上下方向に長さを有し、左右方向に幅を有し、正面視矩形状に形成されている。奥壁部４９は、キャビネット４の内部の奥面を構成する。
【００３３】
照明装置６は、扉５４の左右方向の端縁に沿うように設けられている。具体的に言うと、照明装置６は、センターキャビネット４１の鏡面扉５６の左右方向の両側の端縁に沿うようにして設けられている。照明装置６は、図５に示すように、光源部７と、導光部８とを備えている。導光部８は、上下方向に長く形成されている。光源部７は、導光部８の長手方向の一方の端部に取り付けられている。
【００３４】
光源部７は、光源７１と、回路基板７２と、放熱板７３と、放熱板カバー７６とを備えている。光源部７は、キャップ部材９６を介して導光部８に固定されている。
【００３５】
光源７１は、導光部８の長手方向の端面（入射面）に向かって発光するように配設されている。光源７１は、例えば、発光ダイオード（ＬＥＤ（Light  Emitting  Diode））により構成された点光源である。光源７１は、回路基板７２の下面に実装されている。なお、光源７１は、回路基板７２に一つだけ設けられているが、複数設けられていてもよい。
【００３６】
回路基板７２には、放熱板７３が取り付けられている。放熱板７３は、回路基板７２の上面に接触状態で取り付けられる。放熱板７３は、例えば、アルミニウム等の金属により構成されている。放熱板７３は、平面視矩形状の放熱部７４と、この放熱部７４の前端部の一部から前方に向かって突出した突出部７５とを備えている。突出部７５は、キャップ部材９６に固着具を介して固定されており、回路基板７２に熱的に接続される。これにより、光源７１が発光することで発生した熱は、回路基板７２を介して突出部７５に伝導し、その後、放熱部７４に伝導する。そして、放熱部７４は外気と熱交換を行なう。これにより、光源７１から発生した熱は、放熱板７３を介して放熱される。
【００３７】
また、この放熱板７３には、放熱板カバー７６が取り付けられる。この放熱板カバー７６は、下方に開口する箱形状に形成されている。放熱板カバー７６の内部には、放熱板７３が嵌め込まれる。これにより、放熱板カバー７６は、放熱板７３の上方および側方を覆う。また、放熱板カバー７６の下端は、放熱板７３の下面よりも下方に位置するように構成されている。これにより、放熱板７３が放熱板カバー７６に取り付けられた状態では、放熱板カバー７６は、設置面（つまり、キャビネット４の上壁部４６の上面）と放熱板７３の下面との間に隙間を形成する。
【００３８】
導光部８は、上下方向に長さを有している。導光部８は、図４に示すように、後端部がキャビネット本体４５の前端面（縦壁部４８の前端面）に固定されている。また、導光部８の前端は、扉５４の前面よりも後方に位置している（言い換えると、導光部８の先端は、扉５４の前面から非突出となっている）。この導光部８は、図６に示すように、取付ベース８１と、ホルダー８７と、導光部材９１と、表面カバー９５とを備えている。
【００３９】
取付ベース８１は、導光部８の後端部を構成する。取付ベース８１は、上下方向に長さを有し、左右方向に幅を有し、前後方向に奥行きを有している。取付ベース８１の幅は、センターキャビネット４１の縦壁部４８の厚さと同じ寸法に形成されている。取付ベース８１は、後片８２と、この後片８２の左右方向の両端から前方に向かって延出した側片８３とを備え、断面略Ｃ字状に形成されている。取付ベース８１の後片８２には、縦壁部４８に固定するための固定部８４が設けられている。固定部８４は、例えば、固着具挿通孔により構成される。取付ベース８１は、例えば、アルミなどの金属材により構成される。
【００４０】
各側片８３の前端部には、係止部８５が設けられている。係止部８５は、ホルダー８７を前後方向に着脱自在に係止する。係止部８５は、互いに向き合う方向（中央側）に向かって突出している。
【００４１】
ホルダー８７には、導光部材９１が固定される。ホルダー８７は、取付ベース８１の側片８３間に嵌め込まれて固定される。ホルダー８７は、上下方向に長さを有している。ホルダー８７の長さは、取付ベース８１の長さと同じ大きさである。ホルダー８７には、保持溝部８８が設けられている。保持溝部８８は、左右方向に凹没している。保持溝部８８は、ホルダー８７の長さ方向の全長に亘って設けられている。
【００４２】
ホルダー８７の後端部には、被係止部８９が設けられている。被係止部８９は、ホルダー８７の左右方向の側面から側方に向かって突出した凸条により構成されている。被係止部８９は、取付ベース８１の係止部８５によって、前後方向に係止される。
【００４３】
また、ホルダー８７には、表面カバー９５を保持するための保持部９０が設けられている。
【００４４】
導光部材９１は、上下方向に長さを有し、棒状に形成されている。導光部材９１には、係止凸部９２が設けられている。導光部材９１は、係止凸部９２が保持溝部８８に保持されることで、ホルダー８７に固定される。導光部材９１は、例えば、アクリル樹脂やポリカーボネート樹脂等の透明な樹脂を用いて形成されており、透光性を有している。
【００４５】
導光部材９１は、長さ方向のいずれか一方の端面に入射面（図示せず）を有し、前面に出射面９３を有している。また、導光部材９１の後面には、反射部９４が設けられている。反射部９４は、例えば、導光部材９１の後面に印刷や蒸着によって反射性の物質を設けたり、微細な凹凸を設けたり、二色成形によって反射部分を設けたりすることによって形成される。反射部９４は、導光部材９１内を全反射して進行する光が反射すると、当該光を乱反射させて拡散させ、出射面９３から出射させる。
【００４６】
導光部材９１の上端面は、ホルダー８７から露出している。導光部材９１の上端面は、光源７１に対向配置される。これにより、光源７１から発せられた光は、入射面を介して導光部材９１に入射するようになっている。
【００４７】
表面カバー９５は、ホルダー８７の保持部９０に着脱自在に取り付けられる。表面カバー９５は、上下方向に長さを有している。表面カバー９５の長さは、ホルダー８７や導光部材９１の長さと略同じ大きさに形成される。表面カバー９５は、断面略Ｃ字状に形成されている。表面カバー９５は、導光部材９１の前面（つまり、出射面９３）を覆う。表面カバー９５は透光性を有しており、導光部材９１から出射する光を透過可能となっている。
【００４８】
光源７１から光が発せられると、その光は、導光部材９１の入射面を介して導光部材９１に入射する。入射面から導光部材９１に入射した光は、導光部材９１の内部を下方に向かって全反射しながら進行し、反射部９４で拡散反射する。反射部９４で拡散反射した光は、出射面９３を介して出射し、表面カバー９５を介して、前方に向かって進む。これにより、照明装置６は、扉５４の間の隙間から前方に向かって、キャビネット４の上下方向の全長に亙った線状の光を照射するように構成されている。
【００４９】
このような構成の照明装置６は、取付ベース８１の後端面が縦壁部４８の前端に当接した状態で、キャビネット本体４５に取り付けられる。
【００５０】
施工者は、取付ベース８１を、固着具を介してセンターキャビネット４１の縦壁部４８の前端面に固定する。この後、施工者は、導光部材９１および表面カバー９５が取り付けられたホルダー８７を、取付ベース８１の前方から取付ベース８１側に向かって嵌め込む。
【００５１】
図４に示すように、導光部８の奥行き（前後方向の寸法）は、キャビネット４の前端面から扉５４の前面までの寸法よりも短く形成されている。また、導光部８の幅（左右方向の寸法）は、センターキャビネット４１の鏡面扉５６の端縁と、これに対向するサイドキャビネット４２の鏡面扉５６の端縁との間の寸法よりも短く形成されている。
【００５２】
光源部７は、図２に示すように、センターキャビネット４１の上壁部４６の上面に載設される。言い換えると、光源部７は、キャビネット本体４５の上端部に設けられている。このとき、センターキャビネット４１の上壁部４６の上面は、サイドキャビネット４２の上壁部４６の上面よりもやや下方に位置しているため、光源部７の上面は、サイドキャビネット４２の上壁部４６の上面と面一となる。
【００５３】
なお、この光源部７は、上下逆にして、下壁部４７の下端部に設けられてもよい。
【００５４】
以上説明したように、本実施形態の照明付きキャビネット３は、キャビネット４と、照明装置６とを備えている。キャビネット４は、キャビネット本体４５の前方に扉５４が設けられている。照明装置６は、扉５４の左右方向の端縁に沿うように設けられている。この照明装置６は、取り付けられた状態で、前方に向かって光を発する。この照明装置６は、キャビネット本体４５の前端面に固定されており、当該照明装置６の前端が扉５４の前面から非突出となっている。
【００５５】
このように、本実施形態の照明付きキャビネット３は、照明装置６がキャビネット本体４５の前端面に固定されており、これによって、照明装置６の前端が扉５４の前面から非突出となっている。従って、本実施形態の照明付きキャビネット３によれば、扉５４の前面から照明装置６の前端が突出して見栄えが損なわれるのを防ぐことができる。
【００５６】
また、本実施形態の照明付きキャビネット３は、照明装置６の前端が、扉５４の前面よりも後方に位置している。
【００５７】
ところで、照明装置６の前端が扉５４の前面と面一である場合、照明付きキャビネットとして見栄えをよくできる。しかし、この場合、照明装置６の前端を全長に亙って扉５４の前面に一致させる必要があり、高い精度を要する。つまり、照明装置６や扉５４にひずみが生じると、部分的に面一でない箇所が存在することになって、かえって見栄えの低下を招くことになる。
【００５８】
そこで、本実施形態の照明付きキャビネット３において、照明装置６の前端を、扉５４の前面よりも後方に位置するように構成することで、製造上の誤差が生じても見栄えが損なわれるのを防ぐことができる。
【００５９】
また、本実施形態の照明付きキャビネット３は、照明装置６が、光源部７と、導光部８とを備えている。光源部７は、キャビネット本体４５の上端部または下端部に配置されている。導光部８は、扉５４の左右方向の端縁に沿うように設けられている。また、導光部８は、光源部７からの光が長手方向の端面から入射し且つ入射した光が前面から出射するように構成されている。
【００６０】
このように、本実施形態の照明付きキャビネット３は、光源部７がキャビネット本体４５の上端部または下端部に設けられていることで、導光部８をキャビネット本体４５の前端面に配置することができる。これにより、本実施形態の照明付きキャビネット３によれば、キャビネット本体４５と扉５４との間に熱がこもりにくい。さらに、本実施形態の照明付きキャビネット３は、光源部７がキャビネット本体４５の上端部または下端部に配置されており、つまり、光源部７が、キャビネット本体４５と扉５４との間とは別の場所に配置されている。これにより、導光部８の前端を扉５４の前面から非突出となるような設計を行いやすくすることができる。
【００６１】
また、本実施形態の照明付きキャビネット３は、扉５４が複数の鏡面扉５６を備えている。照明装置６は、鏡面扉５６の間に配置されている。
【００６２】
このため、本実施形態の照明付きキャビネット３によれば、鏡面扉５６の間からユーザーに向かって発光させることができる。この結果、ユーザーは、望む部分（顔など）を効果的に照らしながら、自らの鏡像を確認することができる。
【００６３】
また、本実施形態のキャビネット本体４５は、上壁部４６と、下壁部４７と、縦壁部４８とを備えている。上壁部４６の前端面と、下壁部４７の前端面と、縦壁部４８の前端面とは、同一平面上に位置している。そして、照明装置６の後端部は、縦壁部４８の前端面に固定されている。
【００６４】
このため、本実施形態の照明付きキャビネット３によれば、導光部８を取り付けるためのスペースをキャビネット本体４５に設ける必要がない。これにより、従来のキャビネット本体４５を本実施形態の照明付きキャビネット３に用いることができる。
【００６５】
（実施形態２）
次に、実施形態２について図７に基づいて説明する。なお、本実施形態は実施形態１と大部分において同じであるため、同じ部分においては同符号を付して説明を省略し、主に異なる部分について説明する。
【００６６】
本実施形態のキャビネット本体４５は、上壁部４６と、下壁部４７と、縦壁部４８とを備えている。キャビネット本体４５は、合成樹脂によって構成されている。
【００６７】
縦壁部４８には、取付ベース８１が取り付けられる。取付ベース８１は前方に開口した略Ｃ字状をしている。この取付ベース８１には、係止部８５が設けられている。この係止部８５には、ホルダー８７が着脱自在に取り付けられている。
【００６８】
ホルダー８７は、取付ベース８１の係止部８５に取り付けられる被係止部８９が設けられている。被係止部８９は、ホルダー８７の後端部に設けられている。また、ホルダー８７は、光源収容部９７を有している。光源収容部９７には、回路基板にＬＥＤが実装された光源７１が配置されている。
【００６９】
この光源７１は、扉５４の長辺に沿って、複数設けられている。複数の光源７１は、一定の間隔を置いて並べられている。この光源７１の前方には、表面カバー９５が設けられている。
【００７０】
表面カバー９５は、透光性を有しており、光源７１から発せられた光を拡散しながら透過する。表面カバー９５は、ホルダー８７に着脱自在に取り付けられる。表面カバー９５の前端は、鏡面扉５６の前面よりも後方に位置しており、すなわち、扉５４の前面から非突出となっている。
【００７１】
このように、本実施形態の照明付きキャビネット３は、照明装置６がキャビネット本体４５の前端面に固定されており、これによって、照明装置６の前端が扉５４の前面から非突出となっている。従って、本実施形態の照明付きキャビネット３によれば、扉５４の前面から照明装置６の前端が突出して見栄えが損なわれるのを防ぐことができる。
【００７２】
なお、実施形態１のキャビネット本体４５は、上壁部４６と、下壁部４７と、縦壁部４８との各前端面が同一平面上に位置していたが、これに限定されない。すなわち、実施形態２のキャビネット本体４５のように、縦壁部４８の前端面が、上壁部４６の前端面および下壁部４７の前端面よりも後方に位置していてもよい。
【００７３】
また、実施形態１の照明付きキャビネット３は、３つのキャビネット４が左右方向に並設されていたが、これに限らず、１つのキャビネットにより構成されたものであってもよい。この場合、縦壁部４８は、キャビネット本体４５の左右方向の両端の側壁と、キャビネット本体４５の左右方向の中間の仕切り壁とを含む。
【００７４】
また、本実施形態の照明装置６は、センターキャビネット４１の扉５４の左右方向の両端縁に沿って設けられていたが、左右方向のいずれか一方の端縁に沿って設けられていてもよい。
【符号の説明】
【００７５】
１      洗面化粧台
２      洗面台
３      照明付きキャビネット
４      キャビネット
４１    センターキャビネット
４２    サイドキャビネット
４５    キャビネット本体
４６    上壁部
４７    下壁部
４８    縦壁部
４９    奥壁部
５２    溝部
５４    扉
５５    鏡板
６      照明装置
７      光源部
７１    光源
７３    放熱板
７６    放熱板カバー
８      導光部
８１    取付ベース
８２    後片
８３    側片
８５    係止部
８７    ホルダー
８８    保持溝部
８９    被係止部
９１    導光部材
９３    出射面
９４    反射部
９５    表面カバー
【図１】
2014223283.tif 000003
【図２】
2014223283.tif 000004
【図３】
2014223283.tif 000005
【図４】
2014223283.tif 000006
【図５】
2014223283.tif 000007
【図６】
2014223283.tif 000008
【図７】
2014223283.tif 000009